(57)【要約】【課題】回転レバーの回転だけで二ユニットのロックおよびアンロック動作を同時に行い，交換作業が容易に安定的に行える感光ユニットおよび転写ユニット交換システムおよびその交換システムを備えた印刷機を提供する。【解決手段】印刷機本体内に設けられたフレーム３１０と，装着位置に載置された感光ユニット１００および転写ユニット２００を同時にロックおよびアンロックするロック手段とを備えた，印刷機の感光ユニットおよび転写ユニット交換システムが提供される。ロック手段は回転レバー３４１を有し，回転カム３４２およびこの回転カム３４２を回転レバー３４１と連動させる連結バー３４３をさらに設けた。【選択図】図６
2005031671.tif 000002
【特許請求の範囲】
【請求項１】
印刷機の本体内に設けられたフレームと；
前記フレームに設けられ，前記本体の出入口から挿入され装着位置に載置された感光ユニットおよび転写ユニットを同時にロック／アンロックするロック手段と；
を備えることを特徴とする，印刷機の感光ユニットおよび転写ユニット交換システム。
【請求項２】
前記フレームに設けられ，前記感光ユニットおよび前記転写ユニットの各ガイド突起を，前記装着位置まで案内するガイドレールをさらに備えることを特徴とする，請求項１に記載の印刷機の感光ユニットおよび転写ユニット交換システム。
【請求項３】
前記転写ユニットは，前記感光ユニット上に載置されて前記感光ユニットに設けられたダンピング部材により弾力的に支持され，
前記ロック手段は，前記フレームに回動可能に設置され，かつロック方向への回動時に前記転写ユニットの第１ガイド突起をロックする第１ロック部が形成された回転レバーを有することを特徴とする，請求項２に記載の印刷機の感光ユニットおよび転写ユニット交換システム。
【請求項４】
前記ロック手段は，
前記フレームに回動可能に設置され，かつロック方向への回動時に前記転写ユニットの第１ガイド突起をロックする第１ロック部が形成された回転レバーと；
前記フレームに回動可能に設置され，かつロック方向への回動時に前記感光ユニットのガイド突起を加圧してロックする第２ロック部を備えた回転カムと；
前記回転カムおよび前記回転レバーがロック方向またはアンロック方向に共に動くように，前記回転カムと前記回転レバーとを連結する連結バーと；
を備えることを特徴とする，請求項２に記載の印刷機の感光ユニットおよび転写ユニット交換システム。
【請求項５】
前記転写ユニットは，前記第１ガイド突起とは異なる第２ガイド突起をさらに備え，
前記ガイドレールは，前記感光ユニットのガイド突起および前記第１ガイド突起を案内する第１ガイドレールと，前記第２ガイド突起を案内する第２ガイドレールとを有することを特徴とする，請求項３または４のいずれか１項に記載の印刷機の感光ユニットおよび転写ユニット交換システム。
【請求項６】
前記転写ユニットの前記第２ガイド突起をロックする補助ロック手段をさらに備えることを特徴とする，請求項５に記載の印刷機の感光ユニットおよび転写ユニット交換システム。
【請求項７】
前記補助ロック手段は，
前記フレームに回動可能に設置された干渉レバーと；
前記干渉レバーの自由端部が前記第２ガイドレール側に突出するように付勢するバネと；を有し，
前記干渉レバーの自由端部は，
前記第２ガイド突起が前記第２ガイドレールに沿って前記装着位置に進入する時に接触する部位が，前記第２ガイド突起が前記干渉レバーの自由端部を越えうる傾斜面となっており，
その反対に，前記第２ガイド突起が離脱する時に接触する部位は，前記第２ガイド突起が前記干渉レバーの自由端部を越えられない段差面となっていることを特徴とする，請求項６に記載の印刷機の感光ユニットおよび転写ユニット交換システム。
【請求項８】
前記感光ユニットは，
感光ドラムと；
前記感光ドラムの一側を覆い包むケースと；
前記ケースに回動可能に設置されたハンドルと；
前記転写ユニットに対して緩衝接触するダンピング部材と；
を備えることを特徴とする請求項１，２，３，４，５，６または７のいずれか１項に記載の印刷機の感光ユニットおよび転写ユニット交換システム。
【請求項９】
前記転写ユニットは，
転写ベルトと；
前記転写ベルトを覆い包むケースと；
前記ケースに回動可能に設置されたハンドルと，
を備えることを特徴とする，請求項１，２，３，４，５，６，７または８のいずれか１項に記載の印刷機の感光ユニットおよび転写ユニット交換システム。
【請求項１０】
前記感光ユニットおよび前記転写ユニットは，前記本体の上部に形成された出入口を通じて着脱されることを特徴とする，請求項１，２，３，４，５，６，７，８または９のいずれか１項に記載の印刷機の感光ユニットおよび転写ユニット交換システム。
【請求項１１】
露光および現像過程を通じて印刷する画像が形成される感光ユニットと；
前記感光ユニットに形成された画像を記録媒体に転写する転写ユニットと；
必要時に前記感光ユニットおよび転写ユニットを交換する感光ユニットおよび転写ユニット交換システムと；
を備えた印刷機において：
前記感光ユニットおよび転写ユニット交換システムは，
印刷機本体内に設けられたフレームと，
前記フレームに設けられ，かつ前記本体の出入口から挿入され装着位置に載置された前記感光ユニットおよび前記転写ユニットを同時にロック／アンロックするロック手段と，を備えることを特徴とする印刷機。
【請求項１２】
前記感光ユニットおよび転写ユニット交換システムは，
前記フレームに設けられ，前記本体の出入口から入れた前記感光ユニットおよび前記転写ユニットの各ガイド突起を案内して前記装着位置まで案内するガイドレールをさらに備えることを特徴とする請求項１１に記載の印刷機。
【請求項１３】
前記転写ユニットは，前記感光ユニット上に載置され，前記感光ユニットに設けられたダンピング部材により弾力的に支持され，
前記ロック手段は，前記フレームに回動可能に設置され，かつロック方向への回動時に前記転写ユニットの第１ガイド突起をロックする第１ロック部が形成された回転レバーを有することを特徴とする請求項１２に記載の印刷機。
【請求項１４】
前記ロック手段は，
前記フレームに回動可能に設置され，かつロック方向への回動時に前記転写ユニットの第１ガイド突起を，ロックする第１ロック部が形成されている回転レバーと；
前記フレームに回動可能に設置され，かつロック方向への回動時に前記感光ユニットのガイド突起を加圧してロックする第２ロック部を備えた回転カムと；
前記回転カムおよび前記回転レバーがロック方向またはアンロック方向に共に動くように前記回転カムを前記回転レバーとを連結させる連結バーと；を備えることを特徴とする請求項１２に記載の印刷機。
【請求項１５】
前記転写ユニットは，前記第１ガイドと異なる第２ガイド突起をさらに備え，
前記ガイドレールは，前記感光ユニットのガイド突起および前記第１ガイド突起を案内する第１ガイドレールと，前記第２ガイド突起を案内する第２ガイドレールとを有することを特徴とする請求項１３または１４のいずれか１項に記載の印刷機。
【請求項１６】
前記感光ユニットおよび転写ユニット交換システムは，
前記転写ユニットの第２ガイド突起をロックする補助ロック手段をさらに備えることを特徴とする請求項１５に記載の印刷機。
【請求項１７】
前記補助ロック手段は，
前記フレームに回動可能に設置された干渉レバーと，
前記干渉レバーの自由端部が前記第２ガイドレール側に突出するように付勢するバネと，を有し，
前記干渉レバーの自由端部は，前記第２ガイド突起が前記第２ガイドレールに沿って前記装着位置に進入する時に接触する部位が，前記第２ガイド突起が前記干渉レバーの自由端部を越えうる傾斜面となっており，その反対に前記第２ガイド突起が離脱する時に前記干渉レバーの自由端部を越えられない段差面となっていることを特徴とする請求項１６に記載の印刷機。
【請求項１８】
前記感光ユニットは，
感光ドラムと，
前記感光ドラムの一側を覆い包むケースと，
前記ケースに回動可能に設置されたハンドルと，
前記転写ユニットとの緩衝接触するダンピング部材と，を備えることを特徴とする請求項１１，１２，１３，１４，１５，１６または１７のいずれか１項に記載の印刷機。
【請求項１９】
前記転写ユニットは，
転写ベルトと，
前記転写ベルトを覆い包むケースと，
前記ケースに回転可能に設置されたハンドルと，を備えることを特徴とする請求項１１，１２，１３，１４，１５，１６，１７または１８のいずれか１項に記載の印刷機。
【請求項２０】
前記感光ユニットおよび転写ユニットは前記本体の上部に形成された出入口を通じて着脱されることを特徴とする請求項１１，１２，１３，１４，１５，１６，１７，１８または１９のいずれか１項に記載の印刷機。
【発明の詳細な説明】
【技術分野】
【０００１】
本発明は，感光ユニットおよび転写ユニットを印刷機内部で交換装着させるための印刷機の感光ユニットおよび転写ユニット交換システム，印刷機に関する。
【背景技術】
【０００２】
一般的にプリンタや複写機などの印刷機には，画像が現像される感光ユニットと，その現像画像が転写され，さらに用紙に転写する転写ユニットとが備えられている。ところで，このような感光ユニットおよび転写ユニットは，その使用期間が長くなれば，画像の精密度が徐々に劣化する。したがって，一定寿命が尽きれば，感光ユニットおよび転写ユニットを交換することにより，きれいな画像を持続的に現像することが可能になる。
【０００３】
図１〜図５は，このような感光ユニットおよび転写ユニットの交換のために提案された従来のシステムを示す。
【０００４】
図１を参照すると，最初の状態では，感光ユニット１０および転写ユニット２０が，それぞれ印刷機内部に設けられた第１ガイドレール４１，第２ガイドレール４２に摺動可能に支持されている。これを新品に交換するためには，先ず第１段階では，印刷機前面に設けられたドア（図示せず。）を開け，図２のように上記感光ユニット１０を止めているロックレバー３０を押さえる。この時，ロックレバー３０は転写ユニット２０を若干持ち上げて転写ユニット２０を感光ユニット１０から離隔させる。次いで第２段階では，図３のように感光ユニット１０のハンドル１１を掴んで，第１ガイドレール４１に沿って感光ユニット１０を引っ張って取り出す。以後第３段階では，図４のようにロックレバー３０を元の位置に下ろし，第４段階では，図５のように転写ユニット２０の第１ハンドル２１を引っ張って，第２ガイドレール４２に沿って転写ユニット２０を取り出す。この時，転写ユニット２０がある程度取り出されれば，上面に設置された第２ハンドル２２を掴んで，転写ユニット２０が落ちないようにする。以後，新しいユニットの装着は，上記と逆順になされる。
上記
【発明の開示】
【発明が解決しようとする課題】
【０００５】
しかしながら，上記従来の交換システムでは，感光ユニット１０および転写ユニット２０を取り出したり装着したりする度に，上記ロックレバー３０を上げたり下げたり反復せねばならないので，不便である。また，各ユニット１０，２０を前方に引っ張って取り出すため，すこしでも不注意な操作をすれば，このユニット１０，２０が第１，２ガイドレール４１，４２から取り出された瞬間に，落下して損傷する恐れがあるという問題があった。
【０００６】
そこで，本発明は，このような問題に鑑みてなされたもので，その目的とするところは，上記交換装着作業を安全かつ容易に行うことが可能な，新規かつ改良された印刷機の感光ユニットおよび転写ユニット交換システム，およびこれを備えた印刷機を提供することにある。
【課題を解決するための手段】
【０００７】
上記課題を解決するために，本発明のある観点によれば，印刷機本体内に設けられたフレームと，上記フレームに設けられて，上記本体の出入口から挿入され装着位置に載置された感光ユニットおよび転写ユニットを同時にロック／アンロックするロック手段とを備えることを特徴とする印刷機の感光ユニットおよび転写ユニット交換システムが提供される。
【０００８】
また，上記フレームに設けられ，上記感光ユニットおよび上記転写ユニットの各ガイド突起を上記装着位置まで案内するガイドレールをさらに備えてもよい。
【０００９】
また，上記転写ユニットは，上記感光ユニット上に載置されて上記感光ユニットに設けられたダンピング部材により弾力的に支持されてもよく，上記ロック手段は，上記フレームに回動可能に設置され，かつロック方向への回動時に上記転写ユニットの第１ガイド突起を，ロックする第１ロック部が形成された回転レバーを有してもよい。
【００１０】
また，上記ロック手段は，上記フレームに回動可能に設置され，かつロック方向への回転時に上記転写ユニットのガイド突起をロックする第１ロック部が形成された回転レバーと，上記フレームに回動可能に設置され，かつロック方向への回動時に上記感光ユニットのガイド突起を加圧してロックする第２ロック部を備えた回転カムと，上記回転カムおよび上記回転レバーがロック方向またはアンロック方向のうち選択されたいずれか一方向に共に動くように，上記回転カムと上記回転レバーとを連結させる連結バーとを備えてもよい。
【００１１】
また，上記転写ユニットは，上記第１ガイド突起とは異なる第２ガイド突起をさらに備えてもよく，上記ガイドレールは，上記感光ユニットのガイド突起および上記第１ガイド突起を案内する第１ガイドレールと，上記第２ガイド突起を案内する第２ガイドレールとを有してもよい。
【００１２】
また，上記転写ユニットの第２ガイド突起をロックする補助ロック手段をさらに備えてもよい。
【００１３】
また，上記補助ロック手段は，上記フレームに回動可能に設置された干渉レバーと，上記干渉レバーの自由端部が上記第２ガイドレール側に突出するように付勢するバネと，を有してもよい。上記干渉レバーの自由端部は，上記第２ガイド突起が第２ガイドレールに沿って装着位置に進入する時に接触する部位が，上記第２ガイド突起が上記干渉レバーの自由端部を超えうる傾いた面になっていてもよく，その反対に第２ガイド突起が離脱する時に接触する部位が，上記干渉レバーの自由端部を越えられない段差付き面になっていてもよい。
【００１４】
また，上記感光ユニットは，感光ドラムと，上記感光ドラムの一側を覆い包むケースと，
上記ケースに回動可能に設置されたハンドルと，上記転写ユニットとの緩衝接触するダンピング部材とを備えてもよい。
【００１５】
また，上記転写ユニットは，転写ベルトと，上記転写ベルトを覆い包むケースと，上記ケースに回動可能に設置されたハンドルとを備えてもよい。
【００１６】
また，上記感光ユニットおよび転写ユニットは，上記本体の上部に形成された出入口を通じて着脱されてもよい。
【００１７】
上記課題を解決するために，本発明の別の観点によれば，露光および現像過程を通じて印刷する画像が形成される感光ユニットと，上記感光ユニットに形成された画像を記録媒体に転写する転写ユニットと，必要時に上記感光ユニットおよび転写ユニットを交換する交換システムと，を備えた印刷機において，上記感光ユニットおよび転写ユニット交換システムは，印刷機本体内に設けられたフレームと，上記フレームに設けられ，かつ上記本体の出入口から挿入され装着位置に載置された感光ユニットおよび転写ユニットを同時にロック／アンロックするロック手段と，を備えることを特徴とする印刷機が提供される。
【００１８】
また，上記フレームに設けられ，上記本体の出入口から入れた上記感光ユニットおよび上記転写ユニットの各ガイド突起を上記装着位置まで案内するガイドレールをさらに備えてもよい。
【００１９】
また，上記転写ユニットは，上記感光ユニット上に載置されて上記感光ユニットに設けられたダンピング部材により弾力的に支持されてもよく，上記ロック手段は，上記フレームに回動可能に設置され，かつロック方向への回動時に上記転写ユニットの第１ガイド突起をロックする第１ロック部が形成された回転レバーを有してもよい。
【００２０】
また，上記ロック手段は，上記フレームに回動可能に設置され，かつロック方向への回動時に上記転写ユニットの第１ガイド突起をロックする第１ロック部が形成された回転レバーと，上記フレームに回動可能に設置され，かつロック方向への回動時に上記感光ユニットのガイド突起を加圧してロックする第２ロック部を備えた回転カムと，上記回転カムおよび上記回転レバーがロック方向またはアンロック方向のうち選択されたいずれか一方向に共に動くように，上記回転カムと上記回転レバーとを連結させる連結バーとを有してもよい。
【００２１】
また，上記転写ユニットは，上記第１ガイドとは異なる第２ガイド突起をさらに備えてもよく，上記ガイドレールは，上記感光ユニットのガイド突起および上記第１ガイド突起を案内する第１ガイドレールと，上記第２ガイド突起を案内する第２ガイドレールとを有してもよい。
【００２２】
また，上記感光ユニットおよび転写ユニット交換システムは，上記転写ユニットの第２ガイド突起をロックする補助ロック手段をさらに備えてもよい。
【００２３】
また，上記補助ロック手段は，上記フレームに回動可能に設置された干渉レバーと，上記干渉レバーの自由端部が上記第２ガイドレール側に突出するように付勢するバネとを有してもよく，上記干渉レバーの自由端部は，上記第２ガイド突起が第２ガイドレールに沿って上記装着位置に進入する時に接触する部位が，上記第２ガイド突起が上記干渉レバーの自由端部を越えうる傾いた面になっていてもよく，その反対に上記第２ガイド突起が離脱する時に接触する部位が，上記干渉レバーの自由端部を越えられない段差付き面になっていてもよい。
【００２４】
また，上記感光ユニットは，感光ドラムと，上記感光ドラムの一側を覆い包むケースと，上記ケースに回動可能に設置されたハンドルと，上記転写ユニットとの緩衝接触のためのダンピング部材とを備えてもよい。
【００２５】
また，上記感光ユニットおよび上記転写ユニット交換システムにおいて，上記転写ユニットは，転写ベルトと，上記転写ベルトを覆い包むケースと，上記ケースに回動可能に設置されたハンドルとを備えてもよい。
【００２６】
また，上記感光ユニットおよび上記転写ユニット交換システムにおいて，上記感光ユニットおよび転写ユニットは上記本体の上部に形成された出入口を通じて着脱されてもよい。
【発明の効果】
【００２７】
本発明によれば，回転レバーの回転だけで，感光ユニットおよび転写ユニットを同時にロックおよびアンロックし，また感光ユニットおよび転写ユニットを上方の出入口を通じて着脱させることにより，これらの交換作業を安全かつ容易に交換を行うことができる。
【発明を実施するための最良の形態】
【００２８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
図６〜図１１は，本発明の第１の実施形態にかかる感光ユニットおよび転写ユニット交換システムを示す。
【００２９】
図６〜図１１を参照すると，感光ユニット１００および転写ユニット２００が装着される印刷機本体３００の上方には，ドア３２０により開閉される出入口が形成されている。感光ユニット１００および転写ユニット２００の交換はこの上方の出入口を通じてなされる。そして，本体３００にはフレーム３１０が設置されており，このフレーム３１０には第１，２ガイドレール３３１，３３２が設けられている。このうち，第１ガイドレール３３１は，出入口を通じて下降進入する感光ユニット１００のガイド突起１３０および転写ユニット２００の第１ガイド突起２３１を案内し，第２ガイドレール３３２は転写ユニット２００の第２ガイド突起２３２を案内するようになる。
【００３０】
上記感光ユニット１００は，例えば，感光ドラム１１０と，その感光ドラム１１０の一部を覆い包んで保護するケース１５０と，ハンドル１２０と，を備える。上記ハンドル１２０は，上記ケース１５０に回転可能に結合されており，感光ユニット１００を持ち上げる時には立てて使用し，作業が終わった後には再び元の位置に戻して寝かせることができる。ダンピング部材１４０は，バネ１４２および緩衝バー１４１を有し，を示し，本体３００内で真上に位置する転写ユニット２００を弾力的に支持する機能を有する。
【００３１】
上記転写ユニット２００は，転写ベルト（図示せず。）を覆い包んで保護するケース２１０と，ケース２１０の上面に設置されたハンドル２２０とを備える。を，上記ケース２１０の下面は上記感光ドラム１１０および用紙（図示せず。）のアクセスが可能に開放されている。また，上記ハンドル２２０もケース２１０に回転可能に設置されて使用しない時にはケース２１０に密着させて畳み込むことができる。
【００３２】
そして，上記第１，２ガイドレール３３１，３３２に沿って本体３００内に装着された感光ユニット１００および転写ユニット２００をロックするための手段が設けられるが，このロック手段は対向する両側フレーム３１０に一つずつ，すなわち，一対が対称に設置される。このロック手段の構成要素として，回転レバー３４１が設けられる。この回転レバー３４１は，ユーザが手で回転操作でき，かつ上部載置部３３１ｂに載置される上記転写ユニット２００の第１ガイド突起２３１をロックして，離脱しないようにする第１ロック部３４１ａが形成されている。
【００３３】
感光ユニット１００および転写ユニット２００を第１，２ガイドレール３３１，３３２に沿って装着した後に回転レバー３４１を回せば，回転レバー３４１の第１ロック部３４１ａは上記転写ユニット２００の第１ガイド突起２３１を覆ってロックする。この時，転写ユニット２００はダンピング部材１４０を加圧する。感光ユニット１００は，ガイド突起１３０が下部載置部３３１ａに載置された状態で，転写ユニット２００により加圧されたダンピング部材１４０により上方から加圧力を受けてロックされる。したがって，回転レバー３４１を作動させることによって，転写ユニット２００および感光ユニット１００を同時にロックできる。バネ３４４は，上記回転レバー３４１をアンロック方向に付勢する。ユーザがアンロック位置に回さない限り，回転レバー３４１はダンピング部材１４０の反撥力により，バネ３４４の弾性力にも拘らずロックされた位置に維持される。
【００３４】
ロック手段は，下部載置部３３１ａに載置された感光ユニット１００をロックするためにフレーム３１０に回転可能に設置される回転カム３４２と，回転レバー３４１および回転カム３４２を，ロック方向かアンロック方向のうち選択されたいずれか一方向に共に動くように互いに連結する連結バー３４３とをさらに備る。回転カム３４２は，第１ガイドレール３３１と連結されたレール部３４２ａと，感光ユニット１００のガイド突起１３０を押さえて感光ユニット１００をロックする第２ロック部３４２ｂとを備える。
【００３５】
レバーシャフト３４１ｃは，それぞれ回転レバー３４１の回転中心となり，突出部３４２ｃは，回転カム３４２の外周から突出して形成されている。ストッパー３４２ｄは，フレーム３１０に形成され，感光ユニット１００のガイド突起１３０が第２ロック部３４２ｂによってロックされた時に，突出部３４２ｃを係止する。カムシャフト３４２ｅは，回転カム３４２の回転中心である。
【００３６】
感光ユニット１００および転写ユニット２００を第１ガイドレール３３１，第２ガイドレール３３２に沿って装着した後，上記回転レバー３４１を回せば，上記回転カム３４２の第２ロック部３４２ｂは感光ユニット１００のガイド突起１３０を押圧して感光ユニット１００をロックし，同時に上記回転レバー３４１の第１ロック部３４１ａは上記転写ユニット２００の第１ガイド突起２３１を覆ってロックする。バネ３４４の弾性力にも拘らずロック手段のロック状態が維持される。これはは，上記回転カム３４２の第２ロック部３４２ｂが感光ユニット１００のガイド突起１３０を下部載置部３３１ａ側に押圧する力に対する反力として，ガイド突起１３０も第２ロック部３４２ｂを押し上げるため，その反力により回転カム３４２がとどめられて回転不可能になるからである。しかし，この状態でユーザが回転レバー３４１をアンロック方向に軽く回せば，回転カム３４２も回転して，上記バネ３４４の復元力によりアンロック状態に完全に戻る。
【００３７】
一方，上記第２ガイドレール３３２には，転写ユニット２００の第２ガイド突起２３２をロックするための補助ロック手段が設置されている。この補助ロック手段は，フレーム３１０に回転可能に設置された干渉レバー３４５と，上記干渉レバー３４５の自由端部３４５ａが上記第２ガイドレール３３２側に突出するように付勢するバネ３４６とを備える。上記干渉レバー３４５の自由端部３４５ａには，転写ユニット２００が第２ガイドレール３３２に装着される時，第２ガイド突起２３２が第２ガイドレール３３２に沿って下がりつつスムーズに越えられるように傾いた傾斜面３４７が形成される。また，干渉レバー３４５の自由端部３４５ａには，転写ユニット２００の第２ガイド突起２３２が第２ガイドレール３３２の端部まで進入した後には反対方向に容易に離脱しないように段差面３４８が形成される。したがって，この干渉レバー３４５の自由端部３４５ａは，図９のように転写ユニット２００が第２ガイドレール３３２に沿って進入することは容易に許容するが，一応，図１０のように転写ユニット２００が載置された後には，転写ユニット２００が再び離脱する方向に対して第２ガイド突起２３２を干渉するようになる。したがって，転写ユニット２００を再び取り出すためには，転写ユニット２００の第１ガイド突起２３１側を持ち上げて図９のような状態にした後，第２ガイドレール３３２に沿って引っ張って初めて干渉レバー３４５の干渉を回避できる。このように干渉レバー３４５を置く理由は，転写ユニット２００が装着された後には感光ドラム１１０と転写ベルト（図示せず。）とが接触している状態であるため，この状態で転写ユニット２００をそのまま引っ張れば二部材ともに摩擦傷が生じる恐れがあるからである。したがって，この補助ロック手段は，転写ユニット２００の第１ガイド突起２３１側を持ち上げて感光ドラム１１０と転写ベルトとを離隔させた後に初めて転写ユニット２００を引っ張って取り出せるようにした一種の装備保護のための安全装置である。
【００３８】
以下，ロック手段が回転レバー３４１と回転カム３４２および連結バー３４３を備える場合に，感光ユニット１００および転写ユニット２００を装着および取り外しする過程を説明する。上記構成において，新しい感光ユニット１００および転写ユニット２００を印刷機本体３００に装着する時には，先ず第１段階では，図７のようにドア３２０を開けて上方出入口を通じて感光ユニット１００を，フレーム３１０内に進入させる。これにより，上記感光ユニット１００に設けられたガイド突起１３０が上記第１ガイドレール３３１に沿って摺動して，装着位置に案内される。この時，上記回転カム３４２はアンロック状態であって，そのレール部３４２ａがガイド突起１３０の進入を制限しないように，第１ガイドレール３３１と連結される位置に配置される。このように第１ガイドレール３３１に沿って降下した感光ユニット１００のガイド突起１３０は，図８に図示されたように下部載置部３３１ａに載置される。
【００３９】
次に，図８〜図１０の順に転写ユニット２００をフレーム３１０内に進入させる。図８に示すように第２段階では，転写ユニット２００の第２ガイド突起２３２を第２ガイドレール３３２に沿って摺動させて，装着位置に進入させる。この時，第２ガイド突起２３２は上記干渉レバー３４５の自由端部３４５ａの傾斜面３４７に沿って，自由端部３４５ａを越えて図９のように載置位置に入る。
【００４０】
このように第２ガイド突起２３２の進入が完了すれば，次いで図９に示すように第３段階では，第１ガイド突起２３１を第１ガイドレール３３１内へ進入させて図１０に図示されたように上部載置部３３１ｂに載置する。このようになれば，感光ユニット１００および転写ユニット２００の本体３００内への装着は終わり第４段階となる。次いで，この二ユニット１００，２００をロックする作業がなされる。このロック作業は前述したように上記ロック手段の回転レバー３４１を回転させることによってなされる。すなわち，図１１に図示されたように第５段階では，ユーザが回転レバー３４１をロック方向に回動すると，回転レバー３４１の第１ロック部３４１ａは転写ユニット２００の第１ガイド突起２３１を覆うようにロックして上方への離脱を止め，上記回転カム３４２の第２ロック部３４２ｂは感光ユニット１００のガイド突起１３０を下部載置部３３１ａ側に押圧して動かないようにロックする。したがって，以後には，上記回転レバー３４１を再び元の位置に戻さない限り，上記ロック手段により二ユニット１００，２００が安定したロック状態を維持するようになる。
【００４１】
一方，それらユニット１００，２００を取り出す時にはドア３２０を開けて，回転レバー３４１を元の位置であるアンロック状態に回した後，転写ユニット２００および感光ユニット１００を順次持ち上げればよい。
【００４２】
このように，ドア３２０を開けて回転レバー３４１を回す動作だけで感光ユニット１００および転写ユニット２００に対するロックおよびアンロック動作が同時になされるため，交換作業がかなり便利になる。また，各ユニット１００，２００に設けられたハンドル１２０，２２０をとって上方に持ち上げて取り出すため，それらの前面を握って前方に引っ張って取り出した従来の方式と比較して，このユニット１００，２００を落下して破損する可能性も低減できる。つまり，便利かつ安定的にユニット交換を行うことができる。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本発明は，印刷機の感光ユニットおよび転写ユニット交換システムに適用可能であり，特に感光ユニットおよび転写ユニットの交換作業を便利かつ安定的に行える印刷機に適用できる。
【図面の簡単な説明】
【００４５】
【図１】従来の感光ユニットおよび転写ユニット交換過程の最初の状態を示す斜視図である。
【図２】従来の感光ユニットおよび転写ユニット交換過程の第１段階を示す斜視図である。
【図３】従来の感光ユニットおよび転写ユニット交換過程の第２段階を示す斜視図である。
【図４】従来の感光ユニットおよび転写ユニット交換過程の第３段階を示す斜視図である。
【図５】従来の感光ユニットおよび転写ユニット交換過程の第４段階を示す斜視図である。
【図６】本発明の第１の実施形態にかかる感光ユニットおよび転写ユニット交換システムを示す斜視図である。
【図７】図６に図示された交換システムによる感光ユニットおよび転写ユニットの交換過程の第１段階を示す断面図である。
【図８】図６に図示された交換システムによる感光ユニットおよび転写ユニットの交換過程の第２段階を示す断面図である。
【図９】図６に図示された交換システムによる感光ユニットおよび転写ユニットの交換過程の第３段階を示す断面図である。
【図１０】図６に図示された交換システムによる感光ユニットおよび転写ユニットの交換過程の第４段階を示す断面図である。
【図１１】図６に図示された交換システムによる感光ユニットおよび転写ユニットの交換過程の第５段階を示す断面図である。
【符号の説明】
【００４６】
１００      感光ユニット
１１０      感光ドラム
１２０      ハンドル
１３０      ガイド突起
１４０      ダンピング部材
１４１      緩衝バー
１４２      バネ
１５０      ケース
２００      転写ユニット
２１０      ケース
２２０      ハンドル
２３１      第１ガイド突起
２３２      第２ガイド突起
３００      印刷機本体
３１０      フレーム
３２０      ドア
３３１      第１ガイドレール
３３１ａ    下部載置部
３３１ｂ    上部載置部
３３２      第２ガイドレール
３４１      回転レバー
３４１ａ    第１ロック部
３４１ｃ    レバーシャフト
３４２      回転カム
３４２ａ    レール部
３４２ｂ    第２ロック部
３４２ｃ    突出部
３４２ｄ    ストッパー
３４２ｅ    カムシャフト
３４３      連結バー
３４４      バネ
３４５      干渉レバー
３４５ａ    自由端部
３４６      バネ
【図１】
2005031671.tif 000003
【図２】
2005031671.tif 000004
【図３】
2005031671.tif 000005
【図４】
2005031671.tif 000006
【図５】
2005031671.tif 000007
【図６】
2005031671.tif 000008
【図７】
2005031671.tif 000009
【図８】
2005031671.tif 000010
【図９】
2005031671.tif 000011
【図１０】
2005031671.tif 000012
【図１１】
2005031671.tif 000013